(57)【要約】  【課題】  複写開始ボタン押下した後にも、複写条件の変更又は複写中止を可能にすることにより、無駄な複写動作を防ぐことができる複写機を提供すること。  【解決手段】  スタートボタンのＯＮを検知して処理が開始して、ストップボタンがＯＦＦ状態の場合、その他のボタンのＯＮ／ＯＦＦ状態を調べ（Ｓ４０２）、全てがＯＦＦの場合は、Ｓ４０５に進み、一方、ＯＮされたボタンが有る場合は（Ｓ４０２；ＯＮ）、入力されたボタンに対応した処理を行う（Ｓ４０５）。スタートボタンＯＮ後複写開始前に他のボタン入力を受付けて、条件の変更を可能とする。スタートボタンのＯＮ／ＯＦＦ状態を調べ（Ｓ４０５）、ＯＦＦならば、Ｓ４０７に進む。一方、ＯＮならば、Ｓ４０１に戻る。ＯＦＦの場合には、複写条件を設定し（Ｓ４０５）、Ｓ４０８に進む。スタートボタンがＯＦＦになってから、複写を開始する。【選択図】      図４
2005084256.tif 000002
【特許請求の範囲】
【請求項１】
操作パネル上に複写動作を開始させる開始ボタンと、複写条件の諸設定を行う諸設定ボタンとを備えた複写機において、
前記開始ボタンがユーザにより押下されたことを検知する開始ボタンＯＮを検知するＯＮ検知手段と、
このＯＮ検知手段で開始ボタンＯＮを検知した後、ユーザが開始ボタンから手を離した開始ボタンＯＦＦを検知するＯＦＦ検知手段とを備え、
前記ＯＮ検知手段が開始ボタンＯＮを検知した後、さらに前記ＯＦＦ検知手段が開始ボタンＯＦＦを検知した後に複写機が複写動作を開始することを特徴とした複写機。
【請求項２】
前記諸設定ボタンの押下を検知する諸設定ボタンＯＮ検知手段をさらに備え、
前記ＯＮ検知手段が開始ボタンＯＮを検知した後、前記諸設定ボタンＯＮ検知手段が諸設定ボタンの押下を検知した場合、当該諸設定ボタンの複写条件を受け付けることを特徴とした請求項１記載の複写機。
【発明の詳細な説明】
【技術分野】
【０００１】
本発明は、スタートボタンを押下してからでも、処理を中止、変更できる複写機に関する。
【背景技術】
【０００２】
一般的な複写機においては、原稿を読み取り装置にセットして、操作パネル上の複写開始ボタンを押下して後、複写動作を開始するが、通常は、複写時間を短縮するために、複写開始ボタンの押下と、ほぼ同時に複写動作を開始するようになっている。
【特許文献１】特開平８−２２０９４４号
【０００３】
特許文献１記載の発明では、複写準備中に複写開始指令がでるとこれをメモリに記憶し、その後複写開始前に複写モードが変更になると所定の時間が経過するまで、複写準備として複写動作禁止する複写機用制御装置が開示されている。
【発明の開示】
【発明が解決しようとする課題】
【０００４】
しかしながら、複写開始ボタンを押下して、複写が開始した後に、読み取り装置にセットした原稿が間違がっていたことに気づく場合がある。また、複写機の操作に不慣れな場合には、複写用紙サイズの設定が原稿と相違することを複写開始後に認識することがある。このような場合、そのまま複写を続けると、用紙の浪費になり、また課金がある場合には、経費の無駄にもなってしまう。特許文献１の技術では、複写準備中に一定の要件を備えた場合に対応しており、複写を開始したときに対応していない。
そこで、本発明は、複写開始ボタン押下した後にも、複写条件の変更又は複写中止を可能にすることにより、無駄な複写動作を防ぐことができる複写機を提供することを目的としている。
【課題を解決するための手段】
【０００５】
請求項１記載の発明では、操作パネル上に複写動作を開始させる開始ボタンと、複写条件の諸設定を行う諸設定ボタンとを備えた複写機において、前記開始ボタンがユーザにより押下されたことを検知する開始ボタンＯＮを検知するＯＮ検知手段と、このＯＮ検知手段で開始ボタンＯＮを検知した後、ユーザが開始ボタンから手を離した開始ボタンＯＦＦを検知するＯＦＦ検知手段とを備え、前記ＯＮ検知手段が開始ボタンＯＮを検知した後、さらに前記ＯＦＦ検知手段が開始ボタンＯＦＦを検知した後に複写機が複写動作を開始することにより、前記目的を達成する。
【０００６】
請求項２記載の発明では、請求項１記載の発明において、前記諸設定ボタンの押下を検知する諸設定ボタンＯＮ検知手段をさらに備え、前記ＯＮ検知手段が開始ボタンＯＮを検知した後、前記諸設定ボタンＯＮ検知手段が諸設定ボタンの押下を検知した場合、当該諸設定ボタンの複写条件を受け付けることを特徴とする。
【発明の効果】
【０００７】
請求項１記載の発明では、操作パネル上の複写開始ボタンが押下され、そのボタンを離した時に、原稿の読み取りを始め、複写を開始することとしているので、複写を開始する前に読み取り装置上の原稿を変更することができる。
請求項２記載の発明では、複写開始ボタンを押下していても、複写条件の諸設定ボタンの入力を受け付け、複写条件の変更を可能としているので、複写を開始する前に正しい複写条件を再設定することができる。
【発明を実施するための最良の形態】
【０００８】
以下、本発明の好適な実施の形態を、図１ないし図４を参照して詳細に説明する。
図１は、本実施の形態に係る複写機の構成を示したブロック図であり、図２は、操作パネルの外観を示した図である。
図１に示すように、この複写機は、表示部である操作パネル２０、全体制御部（ＣＰＵ）３０、読み取り部４０および作像部５０から形成されている。
図２に示すように、操作パネル２０は、液晶タッチパネル部２２、ボタン２４、などを備え、ボタン２４が入力されたことを全体制御部（ＣＰＵ）３０に通知し、全体制御部３０からの指令を受けて、表示部の表示変更を行う。
全体制御部３０は、ＣＰＵ（中央演算処理装置）３０を搭載しており、各機能部の管理、調整を行う。読み取り部４０は、全体制御部３０からの指令を受けて原稿の読み取りを行い、その動作状態を全体制御部３０に通知する。作像部５０は、全体制御部３０からの指令を受けて所定の用紙への作像を行い、その動作状態を全体制御部３０に通知する。
【０００９】
液晶タッチパネル部２２は、複写機の動作状態、設定されているモードおよび複写条件などの表示と、複雑な複写条件設定を行うために画面上へユーザの接触による入力の検知を行う。１から０と＊および＃のボタン部２４は、複写部数などの入力に使用する。スタートボタン２６は、複写の開始を指示する。ストップボタン２８は、複写中止を指示する。
【００１０】
図３および図４は、本実施の形態の処理手順を示したフローチャートである。
図３は、複写動作全体の概略を示すフローチャートである。まず、複写機に電源を投入すると、メモリの初期値設定などの初期設定動作を行う（ステップ３０１）。その後、複写機のウォームアップ動作を行い（ステップ３０２）、操作パネル部のボタンまたはタッチパネルのＯＮ／ＯＦＦ状態を調べる（ステップ３０３）。ここで、ＯＦＦを検知したら（ステップ３０３；ＯＦＦ）、ステップ３０３で再び操作パネルのボタンまたはタッチパネルのＯＮ／ＯＦＦを調べる。一方、操作パネルのボタンのＯＮを検知したら（ステップ３０３；ＯＮ）、ＯＮされたボタンの種類を調べ（ステップ３０４）、それがスタートボタンなら（ステップ３０４；スタート）、スタートボタン入力処理に進む（ステップ３０６）。一方、スタートボタン以外の入力であった場合（ステップ３０５；その他）、入力されたボタンに対応した処理を行う（ステップ３０５）。
【００１１】
ステップ３０６の処理については、次の図４のフローチャートにて詳細説明を行う。次に、操作パネル２０上の全ボタンのＯＮ／ＯＦＦ状態を調べ、全ボタンがＯＦＦの場合はステップ３０３に戻り、再び操作パネルのボタンのＯＮ／ＯＦＦ状態を監視する。
【００１２】
次に、図４のフローチャートを参照して、前記図３のフローチャートのステップ３０６のスタートボタンのＯＮを検知した後の処理手順を説明する。
まず、スタートボタンのＯＮを検知して処理が開始すると、まず、ストップボタンのＯＮ／ＯＦＦ状態を調べ（ステップ４０１）、ストップボタンがＯＮの場合は（ステップ４０２；ＯＮ）、複写中止の表示などの中止処理を行い（ステップ４０３）、複写動作を開始せずにスタートボタンＯＮ検知後の処理を終了する。これは、スタートボタンＯＮ後複写開始前に中止を行う方法に関する。
【００１３】
一方、ストップボタンがＯＦＦ状態の場合（ステップ４０１；ＯＦＦ）、その他のボタンのＯＮ／ＯＦＦ状態を調べ（ステップ４０２）、全てがＯＦＦの場合は（ステップ４０２０；ＯＦＦ）、ステップ４０５に進み、一方、ＯＮされたボタンが有る場合は（ステップ４０２；ＯＮ）、入力されたボタンに対応した処理を行う（ステップ４０５）。これは、スタートボタンＯＮ後複写開始前に他のボタン入力を受け付けて、複写条件の変更を可能とするためである。
そして、スタートボタンのＯＮ／ＯＦＦ状態を調べ（ステップ４０５）、スタートボタンＯＦＦならば（ステップ４０５；ＯＦＦ）ステップ４０７に進む。一方、スタートボタンＯＮならば（ステップ４０５；ＯＮ）、ステップ４０１に戻り、ストップボタンのＯＮ／ＯＦＦ状態を調べる。
【００１４】
スタートボタンがＯＦＦの場合には、複写条件を設定し（ステップ４０５）、ステップ４０８に進む。これは、スタートボタンがＯＦＦになってから、複写を開始するためである。
次に、読み取り部４０原稿を読み取り（ステップ４０８）、作像部５０で、用紙に作像を行い（ステップ４０９）、スタートボタンＯＮ後の処理を終了する。
【図面の簡単な説明】
【００１５】
【図１】複写機の構成を示したブロック図である。
【図２】複写機の操作パネルの一例を示した図である。
【図３】本実施の形態に係る複写動作全体の概略を示したフローチャートである。
【図４】スタートボタンのＯＮを検知した後の処理手順を示したフローチャートである。
【符号の説明】
【００１６】
２０  操作パネル
２２  液晶タッチパネル部
２４  ボタン
２６  スタートキー
２８  ストップキー
３０  全体制御部（ＣＰＵ）
４０  読み取り部
５０  作像部
【図１】
2005084256.tif 000003
【図２】
2005084256.tif 000004
【図３】
2005084256.tif 000005
【図４】
2005084256.tif 000006